(57)【特許請求の範囲】
【請求項１】
光軸方向の調整が必要な光学機器に用いられる光学調整用標本おいて、
観察対象物の結像点における光軸方向の前後対称位置に、少なくとも２箇所の指標を有し、前記各指標は、光軸方向の焦点調整範囲内において、非合焦位置では少なくとも１箇所に配置した指標を確認でき、合焦位置の焦点深度範囲内では、前記指標が全く確認できないように構成されたこと、
を特徴とする光学調整用標本。
【請求項２】
前記指標の位置は、結像点の焦点深度をＡ、指標を確認できる限界値をＢ、結像点から指標までの距離をＣとしたとき、Ｂ＜Ｃ≦Ａ＋Ｂの関係が成立する位置であることを特徴とする請求項１記載の光学調整用標本。
【請求項３】
前記指標は、文字や記号等による焦点ズレ方向を促す情報が含まれたものであること特徴とする請求項１又は２に記載の光学調整用標本。
【発明の詳細な説明】
【０００１】
【発明の属する技術分野】
本発明は、例えば、顕微鏡、望遠鏡の接眼レンズやシステム顕微鏡のＴＶカメラ取り付けユニット等の光学機器に用いられる光学調整用標本に関する。
【０００２】
【従来の技術】
本発明に関する従来技術を顕微鏡の接眼レンズを例にして説明する。一般にシステム制を考慮した顕微鏡においては、観察者各人特有の視度を補正する必要があるため、視度補正付き接眼レンズ部が使用されている。
【０００３】
図７は、従来の顕微鏡の視度補正付き接眼レンズ部の断面図である。この視度補正付き接眼レンズ部は、接眼鏡筒３２における結像位置に焦点板３１が配置され、前記焦点板３１の片側表面に図８に示すように平行な２本の直線を合計４個９０度配置とした指標線３１ａが印刷又は彫刻により付されている。
【０００４】
そして、前記指標線３１ａがはっきりと見える位置に視度補正することにより、変倍光学系の同焦点ずれや写真光学系の同焦点ずれ、複数観察時の相互の同焦点ずれ等を防止する。
【０００５】
しかし、前記指標線３１ａは、視度補正後においても明確に認識でき、物体観察時に観察像と重なってしまうため、観察者にとって邪魔で煩わしさを与えてしまう。そこで、従来においても、視度補正時には指標線がはっきり見え、物体観察時に指標線を見えないようにする技術が提案されている。
【０００６】
例えば、特開平２−１８５１２号公報では、動的光錯乱効果を有する液晶部材によって、電気的に視度補正用の指標を出没自在に構成した機構が開示されている。
【０００７】
また、特公平６−７５１４０号公報では、板状透明体上に彫刻された指標線を、発光色の異なる複数の光源にて照明して明確に見えるようにした機構が示されている。
【０００８】
【発明が解決しようとする課題】
上述した特開平２−１８５１２号公報のように、指標線を動的光錯乱効果を有する液晶部材を用いて、必要時だけ見えるようにしたものは、液晶部材自体の透過率が一般的な光学ガラス等に比較すると低く、観察像が暗くなるという課題があった。さらに、液晶部材に電圧を供給するための電気回路が必要となり、装置が複雑になるという課題があった。
【０００９】
また、特公平６一７５１４０号公報のように、板状透明体の上に彫刻された指標線を、発光色の異なる複数の光源により照明して明確に見えるようにした機構においては、複数の光源のための電気回路が必要なため、装置が複雑になるという課題があった。
【００１０】
さらに、物体観察時には、指標線は照明されていないものの、観察物の色や明るさによつては指標線が見えてしまい、観察の邪魔になる場合があった。
【００１１】
本発明は、上記課題に鑑み、簡単な構造で容易に光軸方向の調整を行うことができ、物体観察時にも何等支障を生じない光学調整用標本を提供することを目的とする。
【００１２】
【課題を解決するための手段】
本発明に係る光学調整用標本は、光軸方向の調整が必要な光学機器に用いられる光学調整用標本おいて、観察対象物の結像点における光軸方向の前後対称位置に、少なくとも２箇所の指標を有し、前記各指標は、光軸方向の焦点調整範囲内において、非合焦位置では少なくとも１箇所に配置した指標を確認でき、合焦位置の焦点深度範囲内では、前記指標が全く確認できないように構成されたことを特徴とするもである。
【００１３】
前記光学調整用標本の指標の位置は、結像点の焦点深度をＡ、指標を確認できる限界値をＢ、結像点から指標までの距離をＣとしたとき、Ｂ＜Ｃ≦Ａ＋Ｂの関係が成立する位置とする。
【００１４】
また、前記指標に焦点ずれ方向を促す情報を含ませることにより、より簡略にに光軸方向のずれを調整することが可能となる。
【００１５】
【発明の実施の形態】
以下に、本発明の実施の形態を詳細に説明する。
【００１６】
（実施の形態１）
（構成）
図１は、本発明の実施の形態１を顕微鏡の視度補正付き接眼レンズ部に適用した一例を示す概略側面図、図２は実施の形態１の第一焦点板４、第二焦点板６の斜視図である。
【００１７】
図１において、入射光軸側（図１中下側）から見て順に配置した第一レンズ２及び第二レンズ３により接眼レンズを構成している。また、図１において、第一焦点板４は、鏡筒の結像点５より入射光軸側（図１中下側）に配置され、第二焦点板６は、結像点５より出射光軸側（図１中上側）に配置されている。
【００１８】
図１において、結像点５は、接眼レンズ部の鏡筒から導かれる光束のＮＡ（開口比）等により可変となる焦点深度Ａを有しており、また、接眼レンズ部は、鏡筒から導かれる光束のＮＡや２重指標線の太さによる線間幅等により指標線を確認できる限界の範囲Ｂを有している。
【００１９】
図２は、前記第一焦点板４及び第二焦点板６の斜視図を示すものであり、第一焦点板４には図８に示す従来例と同様な指標線４ａが、第二焦点板６にも図８に示す従来例と同様な指標線６ａが、各々印刷や彫刻により付されている。前記指標線４ａ及び指標線６ａの位置は、視度補正後、指標線を確認できる限界の範囲Ｂより各々入射光軸側及び出射光軸側の焦点深度Ａの範囲内に配置される。
【００２０】
尚、視度補正精度を上げるため、前記指標線４ａ及び指標線６ａの位置は、指標線４ａ、６ａを確認できる限界値Ｂに可能な限り近づけることが望ましい。即ち、前記指標線４ａ、６ａの位置は、結像点５の焦点深度をＡ、指標線４ａ、６ａを確認できる限界値をＢ、結像点５から指標線４ａ、６ａまでの距離をＣとしたとき、Ｂ＜Ｃ≦Ａ＋Ｂの関係が成立する位置に設定する。
【００２１】
また、視度調整範囲の接眼レンズを突き当て（図１中下端）まで押し込んだ場合においては、指標線４ａが確認でき、視度調整範囲の接眼レンズを突き当てまで引き出した（図１中上端）場合においては、指標線６ａが確認できるとが望ましい。
【００２２】
また、前記指標線４ａ及び指標線６ａは、特に形状は限定されず、例えば図２に示したごとく二重線形状や同心円形状、十字線形状等各種の形状とすることが可能である。
【００２３】
（作用）
このように構成された接眼レンズ部は、指標線４ａ及び指標線６ａが全く見えなくなるように視度補正することにより、第一レンズ２及び第二レンズ３からなる接眼レンズの焦点合わせを簡略に行うことができる。
【００２４】
（効果）
前記構成によれば簡単な構造で、視度補正後において、物体観察時に指標線４ａ及び指標線６ａが全く見えないため、観察者は煩わしさが無く良好な観察ができる。また、結像点５の位置に第一焦点板４、第二焦点板６が無いため、第一焦点板４、第二焦点板６上の傷、塵、汚れ等が全く見えなくなり、良好な観察像を得ることができる。
【００２５】
即ち、結像点５を中心として両側に指標線４ａ及び指標線６ａを確認できる限界位置Ｂを設定し、この限界位置Ｂの外側に近接させて指標線４ａ及び指標線６ａを配置することにより、いずれか一方の指標線４ａ又は指標線６ａが見えなくなったときに結像点５に第一レンズ２及び第二レンズ３からなる接眼レンズの焦点が一致することになり、前記指標線４ａ、指標線６ａの目視観察を行うだけで接眼レンズの焦点合わせを正確に実行できる。
【００２６】
（実施の形態２）
（構成）
図３は、本発明の実施の形態２を示すもので、各種ガラスやプラスチック等からなる厚みのある平行平面板７に、特に形状は限定されない指標線７ａ及び７ｂが、印刷又は彫刻により付して光学調整用標本としている。前記平行平面板７の厚さは、前記指標線７ａ及び７ｂが実施の形態１の場合と同様な配置になるように構成される。
【００２７】
（作用）
実施の形態２の平行平面板７、指標線７ａ及び７ｂからなる光学調整用標本を用いても実施の形態１の場合と同様な作用を発揮させることができる。
【００２８】
（効果）
実施の形態２によれば、実施の形態１に比べ、より簡単な構造、組み立て作業で、実施の形態１と同様の効果を得ることができ、より安価な光学調整用標本である。また、結像点５が平行平面板７の中にあるため、結像位置付近に浮遊する塵等が観察視野に入ってくることはないという利点もある。
【００２９】
（実施の形態３）
（構成）
図４は、本発明の実施の形態３を示すもので、各種ガラスやプラスチック等からなる厚みのある一方の平行平面板８と、各種ガラスやプラスチック等からなる厚みのある他方の平行平面板９とが接合され光学調整用標本を構成している。
【００３０】
前記平行平面板８及び平行平面板９には、各々非接合面に指標線８ａ及び指標線９ａが、印刷又は彫刻により付されている。また、平行平面板８及び平行平面板９の接合面には、これら平行平面板８又は平行平面板９の少なくともいずれか一方の面に、印刷、エッチング又はクロム蒸着等にて視野絞り８ｂが形成されている。
【００３１】
前記平行平面板８及び前記平行平面板９の厚さは、前記指標線８ａ及び９ａが実施の形態１に示した場合と同様な配置になるように設定されている。
【００３２】
（作用）
実施の形態３の平行平面板８及び平行平面板９、指標線８ａ及び指標線９ａからなる光学調整用標本を用いても実施の形態１の場合と同様な作用を発揮させることができる。
【００３３】
（効果）
実施の形態１の場合と同様の効果に加え、前記視野絞り８ｂを使用して結像点５に結像する像の視野絞りを実現できる。また、本実施の形態３における視野絞り８ｂの形状は、レンズ粋に設けた視野絞りに比べ安価でありかつ極薄であるため、視野絞り８ｂの色付きやフレアーの防止も可能となる。
【００３４】
（実施の形態４）
（構成）
図５は、本発明の実施の形態４を示すもので、各種ガラスやプラスチック等からなる厚みのある平行平面板１０の両端面に指標線１０ａに加え、光軸方向の同焦点ずれの方向を観察者に促す情報や視度補正に役立つ情報が、文字や記号等で印刷又は彫刻により付されている。即ち、本実施の形態４では、焦点ずれの方向を示すＵＰ、ＤＯＷＮの文字である。
【００３５】
尚、平行平面板１０は、実施の形態１に示したような、二枚の焦点板から構成されていても良い。
【００３６】
（作用）
実施の形態１の作用に加え、観察者は、視度ずれをＵＰ、ＤＯＷＮの文字で確認し、このＵＰ、ＤＯＷＮの文字に示す方向に接眼レンズを調整することで、確実かつ簡単に視度補正を行うことができる。
【００３７】
（効果）
実施の形態１の効果に加え、観察者は、視度ずれを確認でき、確実かつ簡単に視度補正を行うことができる。
【００３８】
（実施の形態５）
（構成）
図６は、本発明の実施の形態５を示すもので、前記実施の形態４に示した平行平面板１０をシステム顕微鏡のＴＶカメラ取り付けユニットに適用した一例を示した概略光学系の側面図である。ＴＶ撮影系は、結像レンズ１１及び結像レンズ１２から構成され、リレー距離が長い場合に結像点１３にて一回結像して例えばＣＣＤカメラ１６の受像面１４に結像し、ＣＣＤカメラ１６の撮像画像を画像モニタ１７で観察するようにしている。
【００３９】
本実施の形態５のＴＶカメラ胴付１５は、回転又はスライド方式により上下動（図６に示す矢印方向）可能に構成されている。前記平行平面板１０は、結像点１３を内部に含む位置に配置されている。
【００４０】
（作用）
前記構成におけるＴＶカメラ取り付けユニットは、観察像の状況に関係なく、指標線１０ａ又は焦点ずれを促すＵＰ、ＤＯＷＮの文字が見えなくなった位置がＴＶカメラ取り付けユニットの焦点のあった位置となる。
【００４１】
（効果）
従来、観察者は、観察像を見ながら同焦点調整を行った場合、観察像の焦点深度が深いため、同焦点調整がしずらく時間がかかっていたが、本実施の形態５によれば、前記構成によれば、観察像の焦点深度に関係なく、簡単かつ正確な同焦点調整がおこなうことができる。また、観察者は、同焦点ずれを認識でき、調整が容易に行えるようになる。
【００４２】
上述した本発明によれば以下の構成を付記することができる。
【００４３】
（１）  前記少なくとも２箇所の指標は、観察対象物の結像点における光軸方向の前後対称位置に配置した一対の焦点板に付されたものである光学調整標本。
【００４４】
（２）  前記少なくとも２箇所の指標は、観察対象物の結像点における光軸方向の前後対称位置に両端面が位置する平行平面板に付されたものである。
【００４５】
（３）  前記少なくとも２箇所の指標は、観察対象物の結像点における光軸方向の前後対称位置に各々の非接合面が位置し、互いの接合面に視野絞りを設けた２枚の平行平面板の前記各非接合面に付されたものである光学調整用標本。
【００４６】
【発明の効果】
以上述べた如く、本発明によれば、結像点前後に指標線や焦点ずれを促す情報を配置することにより、簡単な構造で容易に光軸方向のずれを調整でき、物体観察時には邪魔にならない光学調整用標本を提供することができる。
【図面の簡単な説明】
【図１】本発明の実施の形態１を顕微鏡の視度補正付き接眼レンズ部に適用した一例を示す概略側面図である。
【図２】実施の形態１の第一焦点板、第二焦点板の斜視図である。
【図３】実施の形態２の平行平面板及び指標線を示す斜視図である。
【図４】実施の形態３の平行平面板及び指標線を示す斜視図である。
【図５】実施の形態４の平行平面板、指標線及び文字を示す斜視図である。
【図６】実施の形態５のＴＶカメラ取り付けユニットの概略構成図である。
【図７】従来の接眼レンズ部を示す断面図である。
【図８】従来の接眼レンズ部の焦点板を示す平面図である。
【符号の説明】
２  第一レンズ
３  第二レンズ
４  第一焦点板
４ａ  指標線
５  結像点
６  第二焦点板
６ａ  指標線
７  平行平面板
７ａ  指標線
７ｂ  指標線
８  平行平面板
８ａ  指標線
８ｂ  視野絞り
９  平行平面板
９ａ  指標線
１０  平行平面板
１０ａ  指標線
１０ｂ  指標線
１１  結像レンズ
１２  結像レンズ
１３  結像点
１４  受像面
１５  ＴＶカメラ胴付
１６  ＣＣＤカメラ
１７  画像モニタ
【図１】
0003679518.tif 000002
【図２】
0003679518.tif 000003
【図３】
0003679518.tif 000004
【図４】
0003679518.tif 000005
【図５】
0003679518.tif 000006
【図６】
0003679518.tif 000007
【図７】
0003679518.tif 000008
【図８】
0003679518.tif 000009